(57)【要約】【課題】太陽電池モジュール等に機械的な影響を与えることなく、太陽電池モジュール等をそのまま利用して、作業を容易に、安全に、効率よく行うことが可能な作業用補助台およびその設置方法を提供する。【解決手段】作業用補助台１２は、太陽電池モジュール１上に配置され作業者が乗れる天面部１３と、天面部１３の両側より垂下した側部１４と、側部１４の下端部に配置され枠体８に載置される載置部１５と、側部１４の下端部に配置され太陽電池モジュール１の枠体８間の隙間３に挿入される係合部１６とを備えている。係合部１６は固定具４の押さえ部９に係止することができる。【選択図】図３
2014001560.tif 000002
【特許請求の範囲】
【請求項１】
モジュール本体および前記モジュール本体の対向する少なくとも２辺に配置された枠体を備える太陽電池モジュールに対する作業に使用される作業用補助台であって、
前記太陽電池モジュールに対向して配置され作業者が乗れる天面部と、
前記天面部の両側で前記天面部から垂下した側部と、
前記側部の下端に配置され前記枠体に載置される載置部と、
前記側部の下端に配置され前記枠体の側面に係合する係合部とを備えたこと、
を特徴とする作業用補助台。
【請求項２】
請求項１に記載の作業用補助台であって、
前記太陽電池モジュールは、
少なくとも行方向に複数並置されてあり、かつ、互いに隣接する２つの前記太陽電池モジュールのそれぞれに、互いに隣接する２つの前記枠体を有しており、
前記載置部は、互いに隣接する前記２つの枠体のいずれか片方または両方に対向する形状とされ、
前記係合部は、前記２つの枠体で形成される隙間に挿入される形状とされていること、
を特徴とする作業用補助台。
【請求項３】
請求項１または請求項２に記載の作業用補助台であって、
前記載置部は、前記枠体の長手方向に沿わせて形成されていること
を特徴とする作業用補助台。
【請求項４】
請求項１から請求項３までのいずれか一つに記載の作業用補助台であって、
前記太陽電池モジュールが前記枠体の長手方向に傾斜姿勢であるとき、
前記載置部は、前記枠体に載置された状態で前記天面部が水平となるように傾斜していること
を特徴とする作業用補助台。
【請求項５】
請求項１から請求項４までのいずれか一つに記載の作業用補助台であって、
前記側部は把持部を有すること
を特徴とする作業用補助台。
【請求項６】
請求項１から請求項５までのいずれか一つに記載の作業用補助台であって、
前記天面部は、線状部材がメッシュ状に配置された平面部材で形成されていること
を特徴とする作業用補助台。
【請求項７】
請求項１から請求項６までのいずれか一つに記載の作業用補助台であって、
前記側部のそれぞれは、相対向する内側板および外側板により形成され、
前記係合部は前記内側板および外側板の間に挟持されていること
を特徴とする作業用補助台。
【請求項８】
請求項１から請求項７までのいずれか一つに記載の作業用補助台であって、
前記太陽電池モジュールが前記枠体を介して固定具により固定されており、
前記載置部または前記係合部は前記固定具に係止される形状であること
を特徴とする作業用補助台。
【請求項９】
請求項１から請求項８までのいずれか一つに記載の作業用補助台であって、
前記載置部は前記枠体に対する滑り止めを備えること
を特徴とする作業用補助台。
【請求項１０】
請求項１から請求項９までのいずれか一項に記載の作業用補助台を、太陽電池モジュールに設置する設置方法であって、
前記係合部を前記枠体の側面に係合させて前記載置部を前記枠体に載置する載置工程を含むこと
を特徴とする作業用補助台の設置方法。
【請求項１１】
請求項１０に記載の作業用補助台の設置方法であって、
前記載置工程は、前記太陽電池モジュールが少なくとも行方向に複数並置されている場合に、１つおきの太陽電池モジュールのそれぞれに前記作業用補助台を設置するものであり、前記載置工程の後、隣り合う前記作業用補助台間に足場用板を架渡す工程を含むこと
を特徴とする作業用補助台の設置方法。
【請求項１２】
請求項１０または請求項１１に記載の作業用補助台の設置方法であって、
太陽電池モジュールに太陽光を遮光するカバーを被せる工程を含むこと
を特徴とする作業用補助台の設置方法。
【発明の詳細な説明】
【技術分野】
【０００１】
本発明は、太陽電池モジュールに対する作業の足場となる作業用補助台および作業用補助台の設置方法に関する。
【背景技術】
【０００２】
太陽電池モジュールは、太陽光を電力に変換する機能を有し、太陽光を受光するため一般に屋外に設置される。したがって、太陽電池モジュールは、昼夜間の温度変化、風雨、塵埃や飛来物、積雪等により種々の影響を受ける。その結果、太陽電池モジュールの受光面の透明性が損なわれて発電出力を低下したり、太陽電池モジュールの損傷や故障が発生したり、太陽電池モジュールの交換を必要とすることがある。つまり、太陽電池モジュールに対して、清掃、修理および交換等の各種の作業が必要となる。
【０００３】
太陽電池モジュールに対する作業を施す場合、作業者の手が届きにくい場所での作業では、作業者のための足場を確保する必要がある。従来は太陽電池モジュールに対し、以下のような足場を設けていた。
【０００４】
第１の従来例（例えば、特許文献１参照。）は、屋根に複数の棒状構造材を並設し、棒状構造材間に太陽電池モジュールを取付け、はしご状の仮設足場を太陽電池モジュール上に配置している。
【０００５】
第２の従来例（例えば、特許文献２参照。）は、屋根の斜面に太陽電池パネルを敷き詰め、棟および軒先に足場となる棚状部を形成し、はしご状の保守作業用足場を太陽電池パネルに跨がって棚状部間に架橋している。
【先行技術文献】
【特許文献】
【０００６】
【特許文献１】特開平１１−６２１４２号
【特許文献２】特開２００１−１８２２６３号
【発明の概要】
【発明が解決しようとする課題】
【０００７】
しかし、第１の従来例は、作業を安全かつ簡便に行うための仮設足場を取り付ける穴、あるいは突起が棒状構造材または太陽電池モジュールに設けられており、太陽電池モジュールの設置作業とは無関係な作業および構造物が必要になり、また仮設足場を設置するときにその両端を穴や突起に固定する作業が必要である。
【０００８】
第２の従来例は、保守作業の作業効率を向上するために歩行可能な棚状部を設け、棚状部にはしご状の保守作業用足場を設置するため、太陽電池モジュールの設置とは無関係な構造物を必要とし、設置スペースが必要となる。
【０００９】
このように、第１の従来例および第２の従来例は、足場を設ける場合に、太陽電池モジュールおよびその設置構造に影響を与え、また、はしご状の足場では太陽電池モジュールに対する作業が施しにくく、不安定な姿勢となるため、安全性が低く効率性も低い。
【００１０】
本発明は、上記に従来の技術の課題に鑑み、太陽電池モジュール等に対する機械的な影響を与えることなく、太陽電池モジュール等をそのまま利用して、作業を容易に、安全に、効率よく行うことが可能な作業用補助台、また、作業用補助台の設置方法を提供する。
【課題を解決するための手段】
【００１１】
本発明に係る作業用補助台は、モジュール本体および前記モジュール本体の対向する少なくとも２辺に配置された枠体を備える太陽電池モジュールに対する作業に使用される作業用補助台であって、前記太陽電池モジュールに対向して配置され作業者が乗れる天面部と、前記天面部の両側で前記天面部から垂下した側部と、前記側部の下端に配置され前記枠体に載置される載置部と、前記側部の下端に配置され前記枠体の側面に係合する係合部とを備えたこと、を特徴とする。
【００１２】
本発明に係る作業用補助台によれば、太陽電池モジュールの係合部を枠体の側面に係合し、枠体に載置部を載置することで、太陽電池モジュールに対してモジュール本体から離れた位置に天面部を配置することができる。このため、太陽電池モジュール等に機械的な影響を与えることなく、太陽電池モジュール等をそのまま利用して、各種の作業を天面部上で容易に、安全に、効率よく行うことが可能である。
【００１３】
上記構成において、前記太陽電池モジュールは、少なくとも行方向に複数並置されてあり、かつ、互いに隣接する２つの前記太陽電池モジュールのそれぞれに、互いに隣接する２つの前記枠体を有しており、前記載置部は、互いに隣接する前記２つの枠体のいずれか片方または両方に対向する形状とされ、前記係合部は、前記２つの枠体で形成される隙間に挿入される形状とされていること、を特徴とする。
【００１４】
上記構成によれば、多数の太陽電池モジュールがアレイ状に配置された太陽光発電システムにおいて、それぞれの太陽電池モジュールに対してモジュール本体から離れた位置に天面部を配置することができる。とくに載置部が、互いに隣接する前記２つの枠体の両方に対向する形状の場合、枠体に加わる作業者および作業用補助台による荷重を分散できる。
【００１５】
上記構成において、前記載置部は、前記枠体の長手方向に沿わせて形成されていることを特徴とする。このため、枠体に加わる作業者および作業用補助台の荷重を広い面積で受けることができる。
【００１６】
上記構成において、前記太陽電池モジュールが前記枠体の長手方向に傾斜姿勢であるとき、前記載置部は、前記枠体に載置された状態で前記天面部が水平となるように傾斜していることを特徴とする。このため、太陽電池モジュールが傾斜していても天面部を水平または水平に近づけることができるので作業が安全かつ容易になる。
【００１７】
上記構成において、前記側部は把持部を有することを特徴とする。このため、把持部を持って作業用補助台を太陽電池モジュール上に設置したり外すことが容易に行える。
【００１８】
上記構成において、前記天面部は、線状部材がメッシュ状に配置された平面部材で形成されていることを特徴とする。このため、作業用補助台を軽量にでき、枠体への荷重を軽減できるとともに作業用補助台の運搬を容易にできる。
【００１９】
上記構成において、前記側部のそれぞれは、相対向する内側板および外側板により形成され、前記係合部は前記内側板および外側板の間に挟持されていることを特徴とする。このため、側部および係合部を板材の組み合わせにより容易に結合することができる。
【００２０】
上記構成において、前記太陽電池モジュールが前記枠体を介して固定具により固定されており、前記載置部または前記係合部は前記固定具に係止される形状であることを特徴とする。このため、載置部が枠体上に沿って移動しても載置部または係合部が固定具に係止するので、太陽電池モジュールの傾斜が大きい場合でも作業用補助台が滑り落ちることなく、作業を施すことができる。
【００２１】
上記構成において、前記載置部は前記枠体に対する滑り止めを備えることを特徴とする。このため、太陽電池モジュールが多少傾斜していても載置部が枠体上を滑りにくくなり、作業の安全性が高まる。
【００２２】
本発明に係る作業用補助台の設置方法は、上記構成の作業用補助台を太陽電池モジュールに設置する設置方法であって、前記係合部を前記枠体の側面に係合させて前記載置部を前記枠体に載置する載置工程を含むことを特徴とする。
【００２３】
したがって、本発明に係る作業用補助台の設置方法によれば、作業用補助台を太陽電池モジュールに設置する作業がきわめて容易に行える。また作業用補助台による上記作用効果がある。
【００２４】
上記構成において、前記載置工程は、前記太陽電池モジュールが少なくとも行方向に複数並置されている場合に、１つおきの太陽電池モジュールのそれぞれに前記作業用補助台を設置するものであり、前記載置工程の後、隣り合う前記作業用補助台間に足場用板を橋渡しする工程を含むことを特徴とする。
【００２５】
このため、多数の太陽電池モジュールがアレイ状に配置された太陽光発電システムにおいて、１行に並んだ多数の太陽電池モジュール上を作業用補助台および足場用板に乗って移動することができ、多数の太陽電池モジュールに対し連続的に作業を施すことができ、作業に集中しやすく効率がよい。全太陽電池モジュールに作業用補助台を設置する場合と比較して足場設置作業が容易になる。
【００２６】
上記構成において、太陽電池モジュールに太陽光を遮光するカバーを被せる工程を含むことを特徴とする。カバーにより太陽電池モジュールの出力端子に電圧が現れなくなるため、作業者が不用意に出力端子に触れて感電するのを防止することができる。
【発明の効果】
【００２７】
本発明の作業用補助台によれば、太陽電池モジュールの枠体を利用して、太陽電池モジュール上に設置されるため、太陽電池モジュールおよびその設置構造に対し機械的な影響を与えることなく、太陽電池モジュールおよび設置構造をそのまま利用して、各種の作業を容易に、安全に、効率よく行うことが可能である。
【００２８】
本発明の作業用補助台の設置方法によれば、上記の効果とともに、作業用補助台を太陽電池モジュールに設置する作業がきわめて容易に行える。
【図面の簡単な説明】
【００２９】
【図１】本発明の実施の形態の作業用補助台が使用される太陽電池モジュールを、アレイ状に多数配置した太陽光発電システムの、一部を省略した概略平面図である。
【図２】図１の太陽光発電システムの一部拡大平面図である。
【図３】作業用補助台が太陽電池モジュール上に設置された状態の斜視図である。
【図４】（Ａ）は図２のＡ−Ａ線拡大断面図、（Ｂ）は作業用補助台の設置状態の拡大部分断面図である。
【図５】（Ａ）は作業用補助台の正面図、（Ｂ）はその側面図、（Ｃ）は背面図である。
【図６】（Ａ）は作業用補助台の一部破断拡大平面図、（Ｂ）はその一部破断底面図である。
【図７】多数の太陽電池モジュールの１つおきに作業用補助台を設置し、作業用補助台間に足場用板を架渡した状態の概略正面図である。
【図８】（Ａ）は足場用板の平面図、（Ｂ）は側面図、（Ｃ）は正面図である。
【図９】足場用板の底面図である。
【発明を実施するための形態】
【００３０】
本発明の実施の形態に係る作業用補助台、作業用補助台の設置方法について、図１から図９までを参照して説明する。なお、本発明に係る作業用補助台は、太陽電池モジュールを集合した太陽光発電システムに対して主に適用される。
【００３１】
図１は太陽光発電システムの一部省略概略平面図である。
【００３２】
図１に示した太陽光発電システムは、多数の太陽電池モジュール１をアレイ状に、例えば２行に配置している。アレイ状に配置された太陽電池モジュール１に対して、メンテナンスなどの各種の作業時に、作業用補助台１２（図３参照）が使用される。太陽光発電システムにおける太陽電池モジュール１の１行（行方向Ｒ）のモジュール数には制限はないが、たとえば１０〜５０程度である。また行数（列方向Ｌ）も制限がなく１行および３行以上が可能である。太陽電池モジュール１は太陽光を受けやすくするため傾斜させる事例が多いが、図１はシステム全体が列方向Ｌにおいて傾斜している。
【００３３】
図２は図１に記載した太陽光発電システムの一部拡大平面図である。
【００３４】
太陽電池モジュール１は、モジュール本体２およびモジュール本体２の辺に配置された枠体８を備える。モジュール本体２は太陽光を受光して電力に変換する。枠体８はモジュール本体２の辺を被覆して保護し、例えば全周に設けられている。枠体８の下面７ｂ（図４参照）は架台５に支持されている。
【００３５】
また行方向Ｒに互いに隣接する２つの太陽電池モジュール１のそれぞれにおいて、互いに隣接する２つの枠体８間に隙間３が形成されている。隙間３を通して、太陽電池モジュール１を固定具４により架台５に固定している。固定具４は各太陽電池モジュール１の両側のコーナ寄りの４箇所に設けられて隣接する２つの太陽電池モジュール１を同時に固定している。各固定具４は押さえ部９と連結部１１とを有する。押さえ部９は隣接する２つの枠体８の上面７ａに跨がって枠体８を架台５に押さえるものであり、例えば平板形に形成されている。連結部１１は押さえ部９を架台５に連結する、例えばボルトである。
【００３６】
図３は作業の際に、本発明に係る作業用補助台１２を１つの太陽電池モジュール１に対して設置した状態の斜視図である。
【００３７】
作業用補助台１２は天面部１３と側部１４を有する。天面部１３は太陽電池モジュール１に対向して配置され作業者が乗ることができる。側部１４は、天面部１３の両側より垂下しており、下端部に載置部１５と係合部１６を配置している。載置部１５は、枠体８の上面７ａに載置されて天面部１３を支持し、側部１４の下端部により形成され、隣接する２つの枠体８に載置される。
【００３８】
また太陽電池モジュール１が列方向Ｌに傾斜しているため、載置部１５が枠体８の上面７ａに載置された状態で天面部１３が水平となるように、載置部１５は、天面部１３に対して傾斜している。係合部１６は、枠体８の側面に係合し、隙間３に挿入される形状になっている。すなわち、係合部１６は載置部１５よりも下方に突出し、載置部１５が枠体８の上面７ａに載置された状態で隙間３に挿入されて枠体８の側面に係合し、また、押さえ部９に係止する。
【００３９】
太陽電池モジュール１が傾斜して配置されている状態で、作業用補助台１２の重量により作業用補助台１２が枠体８の上面７ａ上を滑った場合、係合部１６が押さえ部９に係止して作業用補助台１２を停止するので安全性を確保できる。また側部１４には把持部１７が形成され、把持部１７は作業者の手を挿入することができる手の幅以上の長さを持つ長孔により形成されている。
【００４０】
図４の分図（Ａ）は図２の矢印Ａ−Ａ線での断面図であり、固定具４による太陽電池モジュール１の固定構造を示している。
【００４１】
上記したように、太陽電池モジュール１の枠体８の下面７ｂが架台５の横桟５ａに支持され、２つの太陽電池モジュール１の枠体８の上面７ａに固定具４の押さえ部９が隙間３をまたがって押さえられる。そしてボルトを用いた連結部１１を押さえ部９の貫通孔３０および隙間３に通し、さらに横桟５ａの貫通孔２８に通しナット２９に螺合している。連結部１１により、押さえ部９とナット２９の間で太陽電池モジュール１の枠体８を架台５に締め付け固定している。架台５は地面などに設置された基礎１８に支持されている。
【００４２】
図４の分図（Ｂ）は作業用補助台１２の支持構造を示す部分断面図である。
【００４３】
作業用補助台１２は上記したように、天面部１３の両側より側部１４を垂下し、係合部１６が隙間３に挿入され、載置部１５が枠体８の上面７ａに載置されている。この場合、側部１４は、相対向する内側板１４ａおよび外側板１４ｂにより形成されている。つまり、側部１４は、内側板１４ａおよび外側板１４ｂの間の上端部にスペーサ２１、２２を介在し、下端部に下端部より下方に突出するように係合部１６を介在し、スペーサ２１、２２および係合部１６を内側板１４ａおよび外側板１４ｂの間に挟持している。
【００４４】
載置部１５は、内側板１４ａおよび外側板１４ｂの下端部により形成され、内側板１４ａおよび外側板１４ｂの各載置部１５が２つの太陽電池モジュール１の隣接する各枠体８の上面７ａに載置されている。これにより、載置部１５は隣接する２つの枠体８の両方に対向し載置される形状となっている。そして内側板１４ａおよび外側板１４ｂの間の係合部１６の載置部１５よりも突出する部分が上記したように隙間３に挿入され、枠体８の側面７ｃに係合している。
【００４５】
図５および図６は作業用補助台１２を示し、図５の分図（Ａ）は作業用補助台１２の正面図、図５の分図（Ｂ）は同側面図、図５の分図（Ｃ）は同背面図、図６の分図（Ａ）は作業用補助台１２の一部破断拡大平面図、図６の分図（Ｂ）は同一部破断拡大底面図である。
【００４６】
これらの図において、作業用補助台１２は、天面部１３、側部１４および係合部１６を木製合板により形成している。天面部１３の下面両側寄りに桟材１９を取付け、桟材１９に側部１４を取付けている。側部１４の内側板１４ａおよび外側板１４ｂは天面部１３の縦方向（列方向Ｌ）の寸法と同じ長さを有し、内側板１４ａおよび外側板１４ｂの下端面の全体を載置部１５とし、これによって載置部１５を枠体８の長手方向に沿わせた形状としている。
【００４７】
把持部１７は内側板１４ａおよび外側板１４ｂに形成されている。また側部１４は、上記したように内側板１４ａおよび外側板１４ｂの間にスペーサ２１、２２および係合部１６を介在し、これらを挟持している。スペーサ２１、２２は天面部１３側の前後方向（列方向Ｌ）の両端よりに位置し、係合部１６は前後方向に内側板１４ａとほぼ同程度の長さを有し、内側板１４ａおよび外側板１４ｂの下端に平行に、下端よりも下方に突出している。
【００４８】
したがって、係合部１６は固定具４の押さえ部９に係止する形状となっている。側部１４は載置部１５が傾斜しているため、側部１４の前端側の高さ寸法が短くなっている。このため天面部１３の前端側の下面に横桟２３を取付け、天面部１３の前端側を補強している。
【００４９】
作業用補助台１２は、次のようにして設置される（作業用補助台の設置方法）。つまり、先ず、載置工程として作業用補助台１２を持ち上げ、次に、係合部１６を隙間３に挿入して枠体８の側面７ｃに係合し、併せて載置部１５を枠体８の上面７ａに載置する。さらに係止工程として載置部１５を枠体８の傾斜に沿って移動して、係合部１６を固定具４の押さえ部９に係止する。
【００５０】
作業用補助台１２の設置後、作業者が天面部１３に乗り、天面部１３を足場として太陽電池モジュール１に対する作業を施すことができる。これにより、作業者は太陽電池モジュール１の手前側からは手の届きにくい前端側の作業を施すことができる。作業としては太陽電池モジュール１の表面の掃除、太陽電池モジュール１を交換するための固定具４の着脱などがある。
【００５１】
なお、作業用補助台の設置方法を実施するとき、必要に応じてモジュール本体２に太陽光を遮光するためのカバー（図示せず）を被せる。これにより、太陽電池モジュール１に入射する太陽光を遮蔽し、作業者が太陽電池モジュール１の出力端子に触れても感電を回避できる。カバーは軽量であることはもちろんであるが、作業者が作業中に物を落とす場合を考慮して緩衝性を有するものが好ましく、例えばプラスチック段ボール板などを用いる。また作業中にカバーが飛ばないように、粘着テープなどの止め具（図示せず）で固定具４などに止める。
【００５２】
作業用補助台１２は、作業用補助台１２から、左右に隣接する太陽電池モジュール１の一部の作業も行え、さらに前方側に位置する異なる行（２行目）に属する太陽電池モジュール１の一部の作業も行える。さらには作業用補助台１２から前方側の太陽電池モジュール１上に別の作業用補助台１２を載せる作業を行うことも可能であり、作業者が作業用補助台１２から別の作業用補助台１２へ移動して、前方側の太陽電池モジュール１を作業することも可能である。
【００５３】
また、作業用補助台１２は、行方向Ｒに並置された多数の太陽電池モジュール１の端に位置する太陽電池モジュール１にも使用することができる。この場合、作業用補助台１２の両側部１４のうち、太陽電池モジュール１のない側の側部１４の載置部１５は、作業用補助台１２を載置しようとする太陽電池モジュール１の枠体８の上面７ａのみに載置され、太陽電池モジュール１のある側の側部１４の載置部１５は上記のように太陽電池モジュール１の枠体８および隣接する太陽電池モジュール１の隣接する枠体８に載置される。
【００５４】
図７から図９は、作業用補助台の別の設置方法を説明する図である。図７は行方向Ｒに並置された多数の太陽電池モジュール１の１つおきに作業用補助台１２を置き、作業用補助台１２間に足場用板２０を架渡した状態を模式的に示す模式図である。図８の分図（Ａ）は足場用板２０の平面図、図８の分図（Ｂ）は側面図、図８の分図（Ｃ）は正面図であり、図９は足場用板２０の底面図である。
【００５５】
上記した作業用補助台１２の設置方法にしたがって多数の太陽電池モジュール１の１つおきに作業用補助台１２を設置する。そして、隣り合う作業用補助台１２間に足場用板２０を架渡す。足場用板２０は作業者２４が乗ることができる板面部２５と、板面部２５の裏面の前後の縁部に沿って取付けた桟材２６と、桟材２６よりも短くて板面部２５の下面の中央寄りに取付けた桟材２７とで構成している。
【００５６】
板面部２５の左右両側（行方向Ｒ）を２つの作業用補助台１２の天面部１３に載せたとき、桟材２６が各作業用補助台１２の天面部１３の前後端（列方向Ｌ）に係合して板面部２５の前後方向（列方向Ｌ）の移動を規制し、桟材２７の両端が各作業用補助台１２の側縁に係合して天面部１３の行方向Ｒの移動を規制する。
【００５７】
また桟材２６、２７は板面部２５を補強する。なお、必要に応じてカバーを行方向Ｒの全ての太陽電池モジュール１上に被せる。このように、作業用補助台１２を足場用板２０により連結することで、作業用補助台１２を行方向Ｒで横ならびに組み合わせて通路を形成することができ、１行に並んだ多数の太陽電池モジュール１上を作業者２４が移動しながら各種の作業を施すことができる。
【００５８】
本発明の実施の形態に係る作業用補助台１２によれば、作業用補助台１２の側部１４に設けた係合部１６を枠体８の側面７ｃに係合し、枠体８に載置部１５を載置することで、太陽電池モジュール１に対してモジュール本体２から離れた位置に天面部１３を配置することができる。すなわち、多数の太陽電池モジュール１がアレイ状に配置された太陽光発電システムにおいて、係合部１６を太陽電池モジュール１間の隙間３に挿入して載置部１５を太陽電池モジュール１の枠体８の上面７ａに載せることで、それぞれの太陽電池モジュール１に対してモジュール本体２から離れた位置に天面部１３を配置することができる。
【００５９】
このように、作業用補助台１２は太陽電池モジュール１の枠体８、隙間３、固定具４を利用して、太陽電池モジュール１上に設置されるため、太陽電池モジュール１およびその設置構造、すなわち太陽電池モジュール１に対する機械的な影響を与えることなく、太陽電池モジュール１等をそのまま利用して、各種の作業を天面部１３上で容易に、安全に、かつ効率よく施すことが可能となる。とくに載置部１５が、互いに隣接する２つの枠体８の両方に対向する形状の場合、載置部１５は２つの隣接する枠体８の上面７ａに載置されるため、枠体８に加わる作業者２４および作業用補助台１２による荷重を分散できるので、枠体８の変形を回避できる。
【００６０】
太陽電池モジュール１が傾斜している場合は、作業用補助台１２を枠体８に沿って移動し、係合部１６を固定具４の押さえ部９に係止すれば、作業用補助台１２が枠体８上を不用意に滑降するのを防止できる。
【００６１】
また載置部１５は枠体８の長手方向に沿わせて形成すると、枠体８に加わる作業者および作業用補助台１２による荷重を広い面積で受けることができるので、枠体８の変形を回避できる。
【００６２】
載置部１５は、傾斜した枠体８に載置された状態で天面部１３が水平となるように傾斜しているため、太陽電池モジュール１が傾斜していても天面部１３を水平または水平に近づけることができるので作業が安全かつ容易になる。
【００６３】
側部１４は把持部１７を有するため、把持部１７を持って作業用補助台１２を太陽電池モジュール１上に設置したり取り外すことが容易にできる。
【００６４】
側部１４は、相対向する内側板１４ａおよび外側板１４ｂにより形成され、係合部１６は内側板１４ａおよび外側板１４ｂの間に挟持されているため、側部１４および係合部１６を板材の組み合わせにより容易に結合することができる。
【００６５】
太陽電池モジュール１が枠体８を介して固定具４により固定され、係合部１６は固定具４に係止される形状であるため、載置部１５が枠体８上に沿って移動しても係合部１６が固定具４に係止するので、太陽電池モジュール１の傾斜が大きい場合でも作業用補助台１２が滑り落ちることなく、作業が行える。
【００６６】
本発明の実施の形態に係る作業用補助台の設置方法によれば、係合部１６を枠体８の側面７ｃに係合させて載置部１５を枠体８に載置する載置工程を含むため、作業用補助台１２を太陽電池モジュール１に設置する作業がきわめて容易に行える。
【００６７】
また太陽電池モジュール１が少なくとも行方向Ｒ（１行）に複数並置されている場合に、載置工程において、１つおきの太陽電池モジュール１のそれぞれに作業用補助台１２を設置し、載置工程の後、隣り合う作業用補助台１２間に足場用板２０を架渡す工程を含むため、１行に並んだ多数の太陽電池モジュール１上を作業用補助台１２および足場用板２０に乗って移動することができる。
【００６８】
つまり、多数の太陽電池モジュール１に対し連続的に作業を施すことができ、作業に集中しやすく効率がよい。また、１つの太陽電池モジュール１の作業が終わるごとに作業用補助台１２を外してつぎの太陽電池モジュール１に作業用補助台１２を載せる設置方法と比較して作業が容易になり、効率的になる。
【００６９】
さらに、太陽電池モジュール１に太陽光を遮光するカバーを被せる工程を含むため、カバーにより太陽電池モジュール１の出力端子に電圧が現れなくなるので、作業者が不用意に出力端子に触れて感電するのを防止することができる。
【００７０】
なお、本発明において、作業用補助台１２は係合部１６が枠体８の側面７ｃに係合するため、載置部１５は１つの太陽電池モジュール１の両側の枠体８のみに対向し載置される形状としてもよい。また多数の太陽電池モジュール１が行方向Ｒに並置されている場合、作業用補助台１２の係合部１６は隙間３に挿入するが、載置部１５は１つの太陽電池モジュール１の両側に隣接する２つの太陽電池モジュール１の、隣接する各枠体８のみに対向し載置される形状にしてもよい。
【００７１】
作業用補助台１２は木製に限らず、プラスチックのほか、アルミニウムを含む軽量合金などの金属を用いることができる。プラスチックや金属の場合は天面部１３、側部１４、載置部１５および係合部１６の全体または一部を一体に形成してもよい。また作業用補助台１２は持ち運び容易のために軽量であることが好ましい。
【００７２】
作業用補助台１２の天面部１３は、線状部材がメッシュ状に配置された平面部材で形成されてもよい。これにより、作業用補助台１２を軽量にでき、枠体８への荷重を軽減できるとともに作業用補助台１２の運搬を容易にできる。
【００７３】
側部１４は板状に限らず、複数本の柱状体により形成し、その下端の載置部１５に係合部１６を設けたり、あるいは下端に横板状または横棒状の載置部１５を連結し、載置部１５に係合部１６を設けてもよい。
【００７４】
把持部１７は長孔に限らない。また把持部１７はなくても、作業用補助台１２の天面部１３の下面を持つことが可能である。
【００７５】
載置部１５は枠体８に対する滑り止めを設けてもよい。これにより、太陽電池モジュール１が傾斜していても載置部１５が枠体８上を滑りにくくなり、作業の安全性が高まる。
【００７６】
係合部１６は固定具４に係止されたが、載置部１５が固定具４に係止する形状になってもよい。係合部１６は載置部１５に沿った長板であったが、１ないし数枚の短板でもよい。
【００７７】
枠体８は、モジュール本体２の全周辺に設けられる場合に限らず、対向する少なくとも２辺に設けられていればよい。
【００７８】
固定具４は押さえ部９で枠体８を押さえることなく、枠体８の下部を架台５に固定するなど枠体８を架台５に固定する具であればよい。また係合部１６は必要に応じて固定具４に係止する形状にしてもよい。
【００７９】
足場用板２０は作業用補助台１２の天面部１３に対して前後左右に移動しない手段として、桟材２６、２７を用いたが、他の手段でもよい。
【００８０】
なお、本発明は上記した実施の形態やその他の構成に限定されるものではなく、他に種々の変形例が考えられる。
【符号の説明】
【００８１】
１  太陽電池モジュール
２  モジュール本体
３  隙間
４  固定具
５  架台
５ａ  横桟
７ａ  上面
７ｂ  下面
７ｃ  側面
８  枠体
９  押さえ部
１１  連結部
１２  作業用補助台
１３  天面部
１４  側部
１４ａ  内側板
１４ｂ  外側板
１５  載置部
１６  係合部
１７  把持部
１８  基礎
１９  桟材
２０  足場用板
２１  スペーサ
２２  スペーサ
２３  横桟
２４  作業者
２５  板面部
２６  桟材
２７  桟材
２８  貫通孔
２９  ナット
３０  貫通孔
【図１】
2014001560.tif 000003
【図２】
2014001560.tif 000004
【図３】
2014001560.tif 000005
【図４】
2014001560.tif 000006
【図５】
2014001560.tif 000007
【図６】
2014001560.tif 000008
【図７】
2014001560.tif 000009
【図８】
2014001560.tif 000010
【図９】
2014001560.tif 000011